(57)【要約】【課題】宣伝等表示欄を台紙の略中央部分に設けることにより、個性あるカレンダーを形成でき、宣伝等表示欄に十分な宣伝効果、情報認識効果等を持たせ得る通年カレンダーを提供する。【解決手段】１月から１２月までの１２ヶ月を複数月からなる複数のエリアに分割すると共に、該分割されたエリア間に宣伝等表示欄を設けたことを特徴とする。複数のエリアは、例えば１月から６月までと７月から１２までの２つのエリアで形成され、宣伝等表示欄には、宣伝表示欄に代えて、祝祭日表示欄、記念日表示欄、大安・仏滅等の情報表示欄、メモ欄の少なくとも一つが設けられる。また、大安と仏滅に該当する日付表示の部分に、大安もしくは仏滅の識別記号が印刷される。【選択図】  図１
2004188870.tif 000002
【特許請求の範囲】
【請求項１】
台紙上に月表示と曜日表示及び日付表示が１月から１２月までの各月毎に印刷された通年カレンダーであって、
１月から１２月までの１２ヶ月を複数月からなる複数のエリアに分割すると共に、該分割されたエリア間に宣伝等表示欄を設けたことを特徴とする通年カレンダー。
【請求項２】
前記複数のエリアが１月から６月までと７月から１２月までの２つのエリアで形成され、前記宣伝等表示欄には、宣伝表示欄に代えて、祝祭日表示欄、記念日表示欄、大安・仏滅等の情報表示欄、メモ欄の少なくとも一つが設けられていることを特徴とする請求項１に記載の通年カレンダー。
【請求項３】
前記各月の大安と仏滅に該当する日付表示の部分に、大安もしくは仏滅の識別記号が印刷されていることを特徴とする請求項１または２に記載の通年カレンダー。
【発明の詳細な説明】
【０００１】
【発明の属する技術分野】
本発明は、１月から１２月までの各月の曜日と日付が一枚の台紙に印刷された通年カレンダーに関する。
【０００２】
【従来の技術】
一般的に、カレンダーとしては、月別カレンダー、隔月別カレンダーあるいは通年カレンダー等があり、そのうち通年カレンダーとしては、例えば図５に示すものが知られている。すなわち、一枚の台紙２に、年度表示欄３と、１月から１２月までの月表示欄６ａ〜６ｌが設けられており、各月表示欄６ａ〜６ｌには、図示しない曜日表示と日付表示がそれぞれ印刷されている。また、通年カレンダー１を顧客に配布する会社の社名等を印刷した宣伝等表示欄５が、例えば各月表示欄６ａ〜６ｌの最下部である台紙２の最下端部に設けられている（なお、この種の通年カレンダーとしては、例えば特許文献１に開示されている。）
【０００３】
【特許文献１】
特開平１１−２２１９８１号公報
【０００４】
【発明が解決しようとする課題】
しかしながら、このような通年カレンダー１においては、社名等が印刷される宣伝等表示欄５が、台紙２の外周部である最下端部に設けられているため、カレンダー１を使う人の目線が宣伝等表示欄５に向き難くなると共に  カレンダー１を壁等に取り付けた際に宣伝等表示欄５が他の物で隠れる場合がある。また、宣伝等表示欄５が台紙２の最下端部に設けられるので、切除されてしまい宣伝効果が得られない場合もある。さらに、通年カレンダー１自体の形態が一律化して個性ある通年カレンダー１が得られ難く、これらのことから、宣伝等表示欄５に十分な宣伝効果を持たせることが難しいという問題点を有している。
【０００５】
本発明は、このような事情に鑑みてなされたもので、その目的は、宣伝等表示欄を台紙の略中央部分に設けることにより、個性あるカレンダーを形成でき、宣伝等表示欄に十分な宣伝効果等を持たせ得る通年カレンダーを提供することにある。また、他の目的は、宣伝等表示欄の有効利用を図ったり使い勝手の向上を図り得る通年カレンダーを提供することにある。
【０００６】
【課題を解決するための手段】
かかる目的を達成すべく、本発明のうち請求項１に記載の発明は、台紙上に月表示と曜日表示及び日付表示が１月から１２月までの各月毎に印刷された通年カレンダーであって、１月から１２月までの１２ヶ月を複数月からなる複数のエリアに分割すると共に、該分割されたエリア間に宣伝等表示欄を設けたことを特徴とする。
【０００７】
このように構成することにより、１月から１２月での１２ヶ月を複数のエリアに分割し、この分割したエリア間に宣伝等表示欄が設けられるため、宣伝等表示欄を台紙の例えば略中央部分に位置させることができて、宣伝等表示欄に印刷された宣伝の宣伝効果等が十分に高められる。
【０００８】
また、請求項２に記載の発明は、前記複数のエリアが１月から６月までと７月から１２月までの２つのエリアで形成され、前記宣伝等表示欄には、宣伝表示欄に代えて、祝祭日表示欄、記念日表示欄、大安・仏滅等の情報表示欄、メモ欄の少なくとも一つが設けられていることを特徴とする。このように構成することにより、１年が半年毎のエリアに分割され中央部分のエリア間に各種情報表示欄が設けられることから、情報の認識効果が一層高められると共に、記念日表示欄やメモ欄等の有効利用が図れかつカレンダーの使い勝手も向上する。
【０００９】
また、請求項３に記載の発明は、前記各月の大安と仏滅に該当する日付表示の部分に、大安もしくは仏滅の識別記号が印刷されていることを特徴とする。このように構成することにより、大安や仏滅の日付表示の部分に大安等の識別記号が印刷されていることから、大安や仏滅を一目で把握できて、カレンダーの使い勝手が一層向上する。
【００１０】
【発明の実施の形態】
以下、本発明の実施の形態を図面に基づいて詳細に説明する。
図１及び図２は、本発明に係わる通年カレンダーの一実施形態を示し、図１がその概略構成図、図２がその要部の拡大図である。なお、図５に示す部位と同一部位には同一符号を付して説明する。
【００１１】
図１において、通年カレンダー１は、所定の長さと幅を有する縦長形状の台紙２の上部に、年号が印刷表示される年号表示欄３が設けられると共に、この年号表示欄３の下部には、１月から６月までの各月の後述する曜日表示や日付表示が印刷表示される６個の月表示欄６ａ〜６ｆからなる半年エリア４ａが設けられている。また、この半年エリア４ａの下部には、宣伝等表示欄５を介して７月から１２月までの各月の曜日表示や日付表示が印刷表示される６個の月表示欄６ｇ〜６ｌからなる半年エリア４ｂが設けられている。この時、各半年エリア４ａ、４ｂの各月の並びは、二ヶ月づつ対になって横方向で上下に沿って並べられているが、例えば括弧内に示すように１月から３月（７月から９月）及び４月から６月（１０から１２月）をそれぞれ縦方向に並べる配置とすることもできる。
【００１２】
つまり、この通年カレンダー１は、１月から１２月までの合計１２個の月表示欄６ａ〜６ｌが６個づつの半年表示欄４ａ、４ｂに上下方向に２つに分割され、この半年表示欄４ａ、４ｂの間に宣伝等表示欄５が設けられ、これにより、宣伝等表示欄５が台紙２の上下方向の略中央部分に配置されることになる。なお、宣伝等表示欄５には、カレンダーを配布する会社名等の宣伝が印刷されると共に、必要に応じて会社の記念日や年間の祝祭日、大安・仏滅等が印刷されたり、メモ欄としての空白が設けられる。
【００１３】
そして、前記月表示欄６ａ〜６ｌは、例えば図２に示すように（図では１月を示すが他の月についても同様である）、月表示７（この例では１月）と、「日」から「土」までの曜日表示８、数字からなる日付表示９が横方向に一週間毎に印刷表示されると共に、大安と仏滅に該当する日付表示９の下部には、「大安」については◎と「仏滅」については●という識別記号がそれぞれ印刷されている。この時、「大安」の識別記号は赤色で印刷され、「仏滅」の識別記号は黒色で印刷されることにより、両者が識別化されている。また、曜日表示８の「日」とこれに対応する日付表示９は赤色で印刷され、曜日表示８の「土」とこれに対応する日付表示９は青色で印刷されることで、土日と平日とが識別化されている。
【００１４】
この通年カレンダー１によれば、宣伝等表示欄５が２つの半年エリア４ａ、４ｂ間に設けられているため、台紙２の上下方向の略中間位置に宣伝等表示欄５を位置させることができ、宣伝等表示欄５に印刷された会社名等を通年カレンダー１の使用者の目線内に容易に入れることができると共に、壁に取り付けた際等に宣伝等表示欄５が他の物で隠される虞がなくなる。また、宣伝等表示欄５が台紙２の下端部等に設けられる従来の通年カレンダーとは形態が異なる個性ある通年カレンダー１が得られて、使用者に興味を持たせることができ、これらのことから、通年カレンダー１の宣伝等表示欄５に従来では得られない宣伝効果を持たせることが可能になる。
【００１５】
また、宣伝等表示欄５に、宣伝以外の記念日や祝祭日、大安・仏滅等の情報表示欄、メモ欄等を設けることができるため、宣伝等表示欄５を有効利用することができると共に、大安と仏滅に該当する日付表示９の部分に「大安」と「仏滅」の識別記号１０が印刷されているため、年間における大安と仏滅の日を使用者が一目で明瞭に把握することができる。これらのことから、使い勝手に優れた通年カレンダー１を得ることができて、企業等において好適に使用することが可能になる。
【００１６】
図３及び図４は、本発明に係わる通年カレンダーのそれぞれ他の実施形態を示す概略構成図である。なお、上記実施形態と同一部位には同一符号を付して説明する。先ず、図３に示す通念カレンダー１は、半年エリア４ａ、４ｂ内における各月表示欄６ａ〜６ｌを３ヶ月づつ横方向で上下に沿って並べ、各半年エリア４ａ、４ｂ間に宣伝等表示欄５を横方向に設けた点にある。また、図４に示す通念カレンダー１の特徴は、台紙２を横長形状として１月から６月の半年エリア４ａを左側に、７月から１２月までの半年エリア４ｂを右側に設け、この両半年エリア４ａ、４ｂ間に宣伝等表示欄５を縦方向に設けた点にある。
【００１７】
これらの、各実施形態の通年カレンダー１においても、宣伝等表示欄５を台紙２の上下方向や左右方向の略中間位置に設けることができて、上記実施形態と同様の作用効果を得ることができる。この各実施形態における半年エリア４ａ、４ｂ内における各月表示欄６ａ〜６ｌの並びは、図示した例に限定されず、適宜の並びを採用することができ、このように半年エリア４ａ、４ｂの形態は、台紙２の形状等に応じて適宜に変更することができる。
【００１８】
なお、上記各実施形態においては、１月から１２月の１２ヶ月を６ヶ月毎の半年エリア４ａ、４ｂに分割し、この２つの半年エリア４ａ、４ｂ間に宣伝等表示欄５を縦方向や横方向に設けたが、本発明はこれに限定されず、１２ヶ月を３以上のエリアに分割して、各エリア間に宣伝等表示欄５を縦方向、横方向、斜め方向等の適宜の方向に設ける構成することもできる。
【００１９】
【発明の効果】
以上詳述したように、請求項１に記載の発明によれば、１月から１２月での１２ヶ月を１枚の台紙上で複数のエリアに分割し、この分割したエリア間に宣伝等表示欄が設けられているため、宣伝等表示欄を台紙の例えば略中央部分に位置させることができて、宣伝等表示欄に印刷された宣伝の宣伝効果を十分に高めることが可能になる。
【００２０】
また、請求項２に記載の発明によれば、請求項１に記載の発明の効果に加え、複数のエリアが１月から６月までと７月から１２月までの２つのエリアで形成された中間部分に、宣伝等表示欄に宣伝表示欄に代えて、祝祭日表示欄、記念日表示欄、大安・仏滅等の情報表示欄の少なくとも一つが設けられ、それが台紙の中央部分に設けられているため、情報認識効果を一層高めること等ができる。また、中央部分の最適な位置にメモ欄等が設けられるため、普通の姿勢でメモ書きすることができる等、その有効利用が図れると共にカレンダー自体の使い勝手を向上させることが可能になる。
【００２１】
また、請求項３に記載の発明によれば、請求項１または２に記載の発明の効果に加え、各月の大安と仏滅に該当する日付表示の部分に、大安もしくは仏滅の識別記号が印刷されているため、使用者が大安等を一目で把握できて、カレンダー自体の使い勝手を一層向上させることが可能になる。
【図面の簡単な説明】
【図１】本発明に係わる通年カレンダーの一実施形態を示す概略構成図
【図２】同その要部の拡大図
【図３】本発明に係わる通年カレンダーの他の実施形態を示す概略構成図
【図４】本発明に係わる通年カレンダーのさらに他の実施形態を示す概略構成図
【図５】従来の通年カレンダーの概略構成図
【符号の説明】
１：通年カレンダー
２：台紙
３：年号表示欄
４ａ、４ｂ：半年エリア
５：宣伝等表示欄
６ａ〜６ｌ：月表示欄
７：月表示
８：曜日表示
９：日付表示
１０：識別記号
【図１】
2004188870.tif 000003
【図２】
2004188870.tif 000004
【図３】
2004188870.tif 000005
【図４】
2004188870.tif 000006
【図５】
2004188870.tif 000007